【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
インクを吐出する複数の吐出口を有するヘッドチップを、複数個に並べて構成された記録ヘッドを用いて、隣接配置されたヘッドチップから吐出されたインク滴で画像を形成するインクジェット記録装置であって、
前記ヘッドチップの各々は、熱エネルギーを発生させてインクを吐出させる熱エネルギー発生手段を有し、
前記熱エネルギー発生手段ごとに温度を検出する検出手段と、
前記検出された隣接配置されたヘッドチップの温度に基づいてインクの吐出を調整する調整手段とを具備することを特徴とするインクジェット記録装置。
【請求項２】
前記検出された温度から各ヘッドチップの昇温によるインク吐出量の変化を算出する算出手段を更に備え、前記調整手段は、前記算出された吐出量の変化に応じて、隣接したヘッドチップによって形成される境界部に位置する各ヘッドチップの吐出口からのインクの吐出を制御することを特徴とする請求項１に記載のインクジェット記録装置。
【請求項３】
記録画像に対する各ヘッドチップの印字デューティから各ヘッドチップの昇温によって到達する温度を推定する推定手段と、この推定された温度による各ヘッドチップのインク吐出量の変化を算出する算出手段とを更に備え、
前記調整手段は、前記算出された吐出量の変化に応じて、隣接したヘッドチップによって形成される境界部に位置する各ヘッドチップの吐出口からのインクの吐出を制御することを特徴とする請求項１に記載のインクジェット記録装置。
【請求項４】
前記調整手段は、隣接したヘッドチップによって形成される境界部に位置する各ヘッドチップの吐出口からの吐出インク滴数を変更することを特徴とする請求項１乃至３のいずれか１項に記載のインクジェット記録装置。
【請求項５】
前記調整手段は、隣接したヘッドチップによって形成される境界部に位置する各ヘッドチップから吐出を行う吐出口の数を変更することを特徴とする請求項１乃至３のいずれか１項に記載のインクジェット記録装置。
【請求項６】
前記調整手段は、隣接したヘッドチップによって形成される境界部に位置する各ヘッドチップの吐出口から吐出を行うインク滴あたりの量を変更することを特徴とする請求項１乃至３のいずれか１項に記載のインクジェット記録装置。
【請求項７】
前記インク滴の量は、前記吐出口に印加される電気信号の電圧又は信号印加時間により制御されることを特徴とする請求項５に記載のインクジェット記録装置。
【請求項８】
インクを吐出する複数の吐出口を有するヘッドチップを、複数個に並べて構成された記録ヘッドを用いて、隣接配置されたヘッドチップから吐出されたインク滴で画像を形成するインクジェット記録方法であって、
前記ヘッドチップの各々に搭載された、熱エネルギーを発生させてインクを吐出させる熱エネルギー発生手段ごとに温度を検出する工程と、
前記検出された隣接配置されたヘッドチップの温度に基づいてインクの吐出を調整する調整工程とを備えることを特徴とする方法。
【請求項９】
前記検出された温度から各ヘッドチップの昇温によるインク吐出量の変化を算出する算出工程を更に備え、前記調整工程では、前記算出された吐出量の変化に応じて、隣接したヘッドチップによって形成される境界部に位置する各ヘッドチップの吐出口からのインクの吐出を制御することを特徴とする請求項８に記載の方法。
【請求項１０】
記録画像に対する各ヘッドチップの印字デューティから各ヘッドチップの昇温によって到達する温度を推定する推定工程と、この推定された温度による各ヘッドチップのインク吐出量の変化を算出する算出工程とを更に備え、
前記調整工程では、前記算出された吐出量の変化に応じて、隣接したヘッドチップによって形成される境界部に位置する各ヘッドチップの吐出口からのインクの吐出を制御することを特徴とする請求項８に記載の方法。
【請求項１１】
前記調整工程では、隣接したヘッドチップによって形成される境界部に位置する各ヘッドチップの吐出口からの吐出インク滴数を変更することを特徴とする請求項８乃至１０のいずれか１項に記載の方法。
【請求項１２】
前記調整工程では、隣接したヘッドチップによって形成される境界部に位置する各ヘッドチップから吐出を行う吐出口の数を変更することを特徴とする請求項８乃至１０のいずれか１項に記載の方法。
【請求項１３】
前記調整工程では、隣接したヘッドチップによって形成される境界部に位置する各ヘッドチップの吐出口から吐出を行うインク滴あたりの量を変更することを特徴とする請求項８乃至１０のいずれか１項に記載の方法。
【請求項１４】
前記インク滴の量は、前記吐出口に印加される電気信号の電圧又は信号印加時間により制御されることを特徴とする請求項１３に記載の方法。
【請求項１５】
請求項８乃至１４のいずれか１項に記載された記録方法を、インクジェット記録装置のコンピュータに実行させるためのプログラム。
【請求項１６】
前記各ヘッドチップの温度を検出して、隣接配置されたヘッドチップ間の温度差が規定の値以上であった場合にのみ請求項８乃至請求項１４のいずれか１項に記載の方法を実施することを特徴とするインクジェット記録装置。
【請求項１７】
被記録媒体の種類を検出する手段と、その種類に応じて前記隣接配置されたヘッドチップ間の温度差の規定値を変更する手段とを更に備えることを特徴とする請求項１６に記載のインクジェット記録装置。
【手続補正２】
【補正対象書類名】明細書
【補正対象項目名】００１５
【補正方法】変更
【補正の内容】
【００１５】
また、上記装置又は方法において、前記検出された温度から各ヘッドチップの昇温によるインク吐出量の変化（増加）を算出する算出手段（工程）を更に備え、前記調整手段（工程）は、前記算出された吐出量の変化に応じて、隣接したヘッドチップによって形成される境界部に位置する各ヘッドチップの吐出口からのインクの吐出を制御する。
【手続補正３】
【補正対象書類名】明細書
【補正対象項目名】００１６
【補正方法】変更
【補正の内容】
【００１６】
また、上記装置又は方法において、記録画像に対する各ヘッドチップの印字デューティから各ヘッドチップの昇温によって到達する温度を推定する推定手段（工程）と、この推定された温度による各ヘッドチップのインク吐出量の変化を算出する算出手段（工程）とを更に備え、前記調整手段（工程）は、前記算出された吐出量の変化に応じて、隣接したヘッドチップによって形成される境界部に位置する各ヘッドチップの吐出口からのインクの吐出を制御する。
【手続補正４】
【補正対象書類名】明細書
【補正対象項目名】００１７
【補正方法】変更
【補正の内容】
【００１７】
また、上記装置又は方法において、前記調整手段（工程）は、隣接したヘッドチップによって形成される境界部に位置する各ヘッドチップの吐出口からの吐出インク滴数を変更する。
【手続補正５】
【補正対象書類名】明細書
【補正対象項目名】００１８
【補正方法】変更
【補正の内容】
【００１８】
また、上記装置又は方法において、前記調整手段（工程）は、隣接したヘッドチップによって形成される境界部に位置する各ヘッドチップから吐出を行う吐出口の数を変更する。
【手続補正６】
【補正対象書類名】明細書
【補正対象項目名】００１９
【補正方法】変更
【補正の内容】
【００１９】
また、上記装置又は方法において、前記調整手段（工程）は、隣接したヘッドチップによって形成される境界部に位置する各ヘッドチップの吐出口から吐出を行うインク滴あたりの量を変更する。
【手続補正７】
【補正対象書類名】明細書
【補正対象項目名】００２１
【補正方法】変更
【補正の内容】
【００２１】
また、本発明のインクジェット記録装置は、前記各ヘッドチップの温度を検出して、隣接配置されたヘッドチップ間の温度差が規定の値以上であった場合にのみ上記いずれかの方法を実施する。また、被記録媒体の種類を検出する手段と、その種類に応じて前記隣接配置されたヘッドチップ間の温度差の規定値を変更する手段とを更に備える。